(57)【要約】      （修正有）【課題】同位階層間の画面の切り替え又は移行を容易にし、迅速に所望の情報源にアクセスして表示することを可能にした移動表示装置を提供する。【解決手段】移動表示装置に上位から下位にツリー状に階層化して関連づけた情報を蓄積し、表示部は選択手段により特定の見出しを選択し確定したとき、前記選択された見出しに対応する情報の画面（選択画面）を大きく表示する選択画面表示部１１と，前記選択画面とは同位階層の直近の２つの画面の見出しを小さく表示する同位階層画面表示部１２、１２とを有し、前記画面選択手段は前記選択画面から前記直近の２つの見出しの１つを選択確定することにより同位階層の他の画面を選択画面表示部に表示するように構成した。【選択図】      図９
2004318655.tif 000002
【特許請求の範囲】
【請求項１】
上位から下位にツリー状に階層化して関連づけた地域、地名、施設、商品又はサービス又はその他の情報、及びそれらの内容に関する情報を蓄積したメモリと、前記メモリ内の１以上の階層の複数の情報を対応した画面として同時に可視表示できる表示部と、表示された画面から前記ツリーに従って直近の上位階層の単一の画面を選択する上位画面選択手段と、表示された画面内の同位又は下位階層の複数の見出しのいずれか一つを選択し確定できる画面選択手段と、前記見出しの一つが選択し確定されたときに前記メモリからその選択された見出しに対応する情報を読み出して前記表示部に送る読出し表示回路とを有する移動表示装置であって、
前記表示部は前記選択手段により特定の見出しを選択し確定したとき、前記選択された見出しに対応する情報の画面（選択画面）を大きく表示する選択画面表示部と、前記選択画面とは同位階層の直近の２つの画面の見出しを小さく表示する同位階層画面表示部とを有し、前記画面選択手段は前記選択画面から前記直近の２つの見出しの１つを選択確定することにより同位階層の他の画面を選択画面表示部に表示するように構成した移動表示装置。
【請求項２】
前記選択画面表示部には、選択画面の自己見出しに属する情報の複数の内容見出しを表示する画面Ａと、選択画面の自己見出しと直近の下位階層の複数の見出しを示す画面Ｂとが選択的に表示でき、前記画面Ａの前記選択手段により前記内容見出しの１つを選択し確定したときに選択画面を該選択した内容見出しに属する内容を表す画面に切り替えることができ、画面Ｂの選択画面の下位階層の前記複数の見出しの一つを選択し確定したときに選択画面を下位階層の画面に切り替えることができ、前記選択手段により前記選択画面Ａ又はＢの自己見出しを選択確定することにより選択画面を画面Ｂ又はＡに切り替えることができるように構成した請求項１の移動表示装置。
【請求項３】
前記選択画面表示部には、選択画面の自己見出しとそれに自己見出しに属する複数の内容見出しを表示する画面Ａと、選択画面の自己見出しと直近の下位階層の複数の見出しを示す画面Ｂと、選択画面の自己見出しと直近の下位階層の複数の第１下位見出し、該下位見出しのうちの特定の見出しの直近の下位階層の複数の第２下位見出しとを同時に表示する画面Ｃとが選択的に表示でき、前記選択手段により前記画面Ａの前記内容見出しの１つを選択し確定したときに選択画面を該選択した内容見出しに属する内容を表す画面に切り替えることができ、画面Ｂの選択画面の下位階層の前記複数の見出しの一つを選択し確定したときに選択画面を下位階層の画面に切り替えることができ、前記画面選択手段により前記画面Ｃの複数の見出しを選択し確定することにより前記第１又は第２下位画面に切り替えて表示でき、前記選択手段により前記選択画面Ａ、Ｂ又はＣの自己見出しを選択し確定することにより選択画面を画面Ｂ、Ｃ又はＡに切り替えることができるように構成した請求項１の移動表示装置。
【請求項４】
前記画面Ａの選択された各内容見出しの内容は複数画面存在し、画面Ａ内容切替ボタン（７）により前記複数画面を順に切り替えて表示するように構成した請求項２又は３の移動表示装置。
【請求項５】
前記画面Ｂにおける直近の下位階層の複数の見出しは、選択手段によりスクロールして隠れた見出しを表示できるようにした請求項２又は３の移動表示装置。
【請求項６】
前記画面Ｃにおける第１下位階層及び第２下位階層の複数の見出しは選択手段によりスクロールして隠れた見出しを表示できるようにした請求項２又は３の移動表示装置。
【請求項７】
画面Ａ、ＢまたはＣと共に選択画面にふさわしい欲求充足事項の見出しを表示する補助表示部（１４）を設け、前記選択手段により欲求充足事項の見出しのいずれかを選択し確定することにより、予め関連づけてある画面Ａ、Ｂ又はＣを選択画面表示部に表示するように構成した請求項１〜６のいずれかの移動表示装置。
【請求項８】
前記選択手段は選択及びスクロール機能を有するジョイスティックとそれによる選択を確定する確定ボタンである請求項１〜７のいずれかの移動表示装置。
【請求項９】
表示された選択画面からその直近の上位階層に属する画面を選択画面として表示するための上位ボタン（９）を設けた請求項１〜８のいずれかの移動表示装置。
【請求項１０】
前記選択手段は直前の画面への戻りボタン（４）を有する請求項１〜９のいずれかの移動表示装置。
【発明の詳細な説明】
【０００１】
【発明の属する技術分野】
本発明は地方又は都市の施設と商品、サービス、イベント、その他の情報の移動表示装置、特に表示部の構成に関する。
【０００２】
【従来の技術】
都市や観光地の各種施設やサービスに関する情報を収集検出することができる方法及び装置は従来から知られている。例えばインターネットは検索手段（サーチエンジン）を使用して世界中の膨大な情報から所望の情報を得ることができる。このような検索手段は都市の設備やサービスを娯楽、文化、教育、産業といった大ざっぱなカテゴリーに分類をすることにより利用者がより速く目的の施設を検索できるようにしているが、情報の内容がバラバラであって分類が系統化されていないために相互に内容を同一水準で比較検討し、又配置や機能の相関関係を充分に把握することができない。
【０００３】
この問題を解決するために、本発明者は特開２００１−６０２０１号において集積情報をツリー状の階層構造で整理したデータベースを構築し、それを表示装置付きの携帯コンピュータ又はＰＣ端末の画面に３階層に表示し、表示された画像又は文字を頼りに任意の階層及び任意の情報に容易にアクセスできるようにした。
すなわち、少なくとも２階層の地域又はさらに施設とそこに存在する商品、サービス、地域や施設に関連した歴史背景、文学表現等を上位から下位の順に系統的にツリー状に関連づけたデータをデータベースに蓄積し、前記ツリー状に関連づけたデータの任意の階層を選択して、前記選択された階層のデータをその近接する上下階層のデータと共に表示装置の画面に表示するようにした情報検索方法である。
【０００４】
すなわち、上記特開２００１−６０２０１号では、地図情報を地図メモリに又は座標付き情報（ＰＯＩ）をメモリに記憶し、該地図に関連づけて少なくとも２階層の地域又はさらに施設とそこに存在する商品又はサービス等の系統を上位から下位の順にツリー状に関連づけたデータをデータベースに蓄積し、前記ツリー状に関連づけたデータの任意の階層のデータを選択し、前記選択された階層及び近接した上下階層に対応するデータを前記データベースから読み出して、前記階層の順に、前記表示された画面上の関連付けた位置に表示する様にしたものであり、階層間の相互関係が一目瞭然に判別できる。
【０００５】
【特許文献１】特開２００１−６０２０１号公報
【特許文献２】特開平１１−３２８２２３号公報
【特許文献３】特開平１１−３２７２１７号公報
【０００６】
【発明が解決しようとする課題】
しかしながら、従来の階層構造の画面選択方式では、特定の情報を画面に呼び出して表示している場合に、直近の上位階層及び直近の下位階層に属する複数の画面階層間の移行は選択とクリック（確定）等の選択と確定動作により画面の切り替えが容易にできるが、同位階層間の移行には先ずブラインドの移行を除き上位階層に戻りそこから同位階層の他の情報画面を選択して表示する必要が常につきまとう不便と面倒があった。
【０００７】
従って、本発明は、従来の方式のこうした欠点を改良して、同位階層間の画面の切り替え又は移行を容易にし、迅速に所望の情報源にアクセスして表示することを可能にした移動表示装置を提供することを目的とする。ここに移動表示装置とは携帯電話、ＰＤＡ、情報提供型デジタルカメラ、車載ナビゲーション装置、歩行ナビゲーション装置における表示装置を指す。
本発明はさらに同一情報を２以上に分類して２以上の画面として切り替え表示を可能にすることにより情報源へのアクセスを高速化し、簡易性と自由度を増し、片手操作等を要求される移動表示装置の利便性、実用性を向上することを目的とする。
【０００８】
【課題を解決するための手段】
すなわち本発明は、上位から下位にツリー状に階層化して関連づけた地域、地名、施設、商品又はサービス又はその他の情報、及びそれらの内容に関する情報を蓄積したメモリと、前記メモリ内の１以上の階層の複数の情報を対応した画面として同時に可視表示できる表示部と、表示された画面から前記ツリーに従って直近の上位階層の単一の画面を選択する上位画面選択手段と、表示された画面内の同位又は下位階層の複数の見出しのいずれか一つを選択し確定できる画面選択手段と、前記見出しの一つが選択し確定されたときに前記メモリからその選択された見出しに対応する情報を読み出して前記表示部に送る読出し表示回路とを有する移動表示装置であって、
前記表示部は前記選択手段により特定の見出しを選択し確定したとき、前記選択された見出しに対応する情報の画面（選択画面）を大きく表示する選択画面表示部と、前記選択画面とは同位階層の直近の２つの画面の見出しを小さく表示する同位階層画面表示部とを有し、前記画面選択手段は前記選択画面から前記直近の２つの見出しの１つを選択確定することにより同位階層の他の画面を選択画面表示部に表示するように構成した移動表示装置を提供する。
これにより、選択画面を、表示されている特定の選択画面から同位階層の他の画面へ切り替えることが可能となる。
【０００９】
好ましい形態では、前記選択画面表示部には、選択画面の自己見出しに属する情報の複数の内容見出しを表示する画面Ａと、選択画面の自己見出しと直近の下位階層の複数の見出しを示す画面Ｂとが選択的に表示でき、前記画面Ａの前記選択手段により前記内容見出しの１つを選択し確定したときに選択画面を該選択した内容見出しに属する内容を表す画面に切り替えることができ、画面Ｂの選択画面の下位階層の前記複数の見出しの一つを選択し確定したときに選択画面を下位階層の画面に切り替えることができ、前記選択手段により前記選択画面Ａ又はＢの自己見出しを選択確定することにより選択画面を画面Ｂ又はＡに切り替えることができるように構成した。
これによると、単純に自己見出しを繰り返して押す（クリックする）ことにより、同位階層の２つの画面の他に、自己見出しの内容を示す画面Ａと下位階層の見出しが一覧表示される画面Ｂとが選択画面として切り替え表示でき、目的画面の検索表示が容易になる。
【００１０】
好ましい形態では、前記選択画面表示部には、選択画面の自己見出しとそれに自己見出しに属する複数の内容見出しを表示する画面Ａと、選択画面の自己見出しと直近の下位階層の複数の見出しを示す画面Ｂと、選択画面の自己見出しと直近の下位階層の複数の第１下位見出し、該下位見出しのうちの特定の見出しの直近の下位階層の複数の第２下位見出しとを同時に表示する画面Ｃとが選択的に表示でき、前記選択手段により前記画面Ａの前記内容見出しの１つを選択し確定したときに選択画面を該選択した内容見出しに属する内容を表す画面に切り替えることができ、画面Ｂの選択画面の下位階層の前記複数の見出しの一つを選択し確定したときに選択画面を下位階層の画面に切り替えることができ、前記画面選択手段により前記画面Ｃの複数の見出しを選択し確定することにより前記第１又は第２下位画面に切り替えて表示でき、前記選択手段により前記選択画面Ａ、Ｂ又はＣの自己見出しを選択し確定することにより選択画面を画面Ｂ、Ｃ又はＡに切り替えることができるように構成し、選択画面の自己見出しを繰り返して押すことにより、画面Ａ、Ｂ及びＣを循環して切り替えるようにし、目的画面の検索と表示を容易にし、検索の融通性が格段に増す。
【００１１】
前記画面Ａの選択された各内容見出しの内容は複数画面存在し、画面Ａ内容切替ボタン（７）により前記複数画面を順に切り替えて表示するように構成する。
【００１２】
前記画面Ｂにおける直近の下位階層の複数の見出しは、選択手段によりスクロールして隠れた見出しを表示できるように構成する。
【００１３】
前記画面Ｃにおける第１下位階層及び第２下位階層の複数の見出しは選択手段によりスクロールして隠れた見出しを表示できるように構成する。
【００１４】
画面Ａ、ＢまたはＣと共に選択画面にふさわしい欲求充足事項の見出しを表示する補助表示部（１４）を設け、前記選択手段により欲求充足事項の見出しのいずれかを選択し確定することにより、予め関連づけてある画面Ａ、Ｂ又はＣを選択画面表示部に表示するように構成する。
【００１５】
好ましくは表示された選択画面からその直近の上位階層に属する画面を選択画面として表示するための上位ボタン（９）を設ける。
【００１６】
なお、最上位の階層から下位の或る階層までに前記選択画面表示部に表示される選択画面は、直近の下位階層の複数の見出し（下位見出し）の配列よりなり、前記画面選択手段によりその下位見出しの一つを選択することにより下位階層の画面へ切り替えて前記選択画面表示部に表示するように構成すると、初期の検索動作が容易になり好都合である。そして、上記の選択と表示はこれら上位階層よりも下の階層に対して実施すれば、全体的に目的画面の選択ステップが短縮される。
【００１７】
また、前記選択手段としてはスイッチ、ボタン、その他任意のものが使用できるが、特に４方向へカーソル等（例えばポイント位置を反転表示するなど）の移動を行うジョイスティックと確定ボタンを使用すると、画面の選択切り替えが容易になる。なお、選択画面よりも上位の画面への移行は別に戻りボタンを設けて行ってもよい。
好ましくは、前記選択手段は選択及びスクロール機能を有するジョイスティックとそれによる選択を確定する確定ボタンである。
【００１８】
【発明の実施の形態】
本発明は、上位から下位にツリー状に階層化して関連づけた地域、地名、施設、商品又はサービス、及び／又はイベント、或いはこれらに関連する情報であって画面に表示できる情報を関連づけて蓄積したデータベースを、例えばインターネットサイトから無線或いは有線でダウンロードして移動表示装置のメモリに蓄積し、或いはハードディスクなどから移動表示装置のメモリに蓄積しておき、それを利用して本発明を構成する。
移動表示装置には表示部が設けられ、前記メモリ内の１以上の階層の複数の情報を対応した画面として同時に可視表示できる表示部と、表示された画面から前記ツリーに従って直近の上位階層の単一の画面を選択する上位画面選択手段と、表示された画面に表示された同位又は下位階層の複数の見出しのいずれか一つを選択できる画面選択手段と、前記見出しの一つが選択されたときに前記メモリから選択された見出しに対応する情報を読み出して前記表示部に送る読み出し回路とを有する移動表示装置を用いる。
【００１９】
ここに選択表示される各画面に関する情報は前記メモリに画面データとして記憶されており、各画面データはテキスト情報及び／又は画像情報から構成されその各画面データにはそのアドレスに関連づけた見出し情報が含まれる。見出し情報を選択すると画面データに対応した画面が移動表示装置の表示部の選択画面表示部に表示される。従って、選択画面は画面データに対応した画面として表示されるものであり、表示部に表示される画面の階層関係はメモリにおける階層関係と対応するものである。
【００２０】
図１〜７は本発明の表示装置とその画面を示し、メモリに記憶されたツリー状の階層構造の情報は、本発明の画面構成に従って表示される。
図９は本発明の移動表示装置の外観を示し、表示部１、ジョイスティック２、確定ボタン３、戻りボタン４、画面Ａ内容切替ボタン７、上位階層を選択する上位ボタン９、キーボード５、およびアンテナ６を含む。メモリは図示していないがアンテナ６を経て受信した画面データ信号を携帯装置の内部に上記した階層構造の画面データとして記憶している。
表示部１はジョイスティック（又はコマンドナビゲーションボタン）２、確定ボタン（又はクリックボタン）３、戻りボタン４、画面Ａ内容切替ボタン７、上位ボタン９、キーボード５に割り付けた役割に応じてこれらの選択手段を操作することにより図１〜７の各種表示画面を表示することができる。本例ではジョイスティック２は４方向選択が可能であり画面内に表示される見出しを任意にポイントでき確定ボタン３を押す（クリックする）ことによりメモリから特定の画面データを読み出して選択された画面（選択画面）に表示する。本発明では同時に同位階層にある２つの隣接画面データが自動的に表示されるようになっている。
戻りボタン４はジョイスティックで確定した選択画面の直前の画面に戻ることができるボタンであり、直前に選択されていた上位階層又は直前の下位階層の画面へ戻ることができる。
確定ボタン３にはさらに選択画面のうち自己見出しを押すことにより選択画面の自己見出しを有する他の画面に切り替える機能を有する。又は自己見出しボタン７を別に設けて同様な機能を持たせてもよい。
画面Ａ内容切替ボタン７は画面Ａに表示された各種見出しに属する複数の内容を循環して切り替えるためのボタンである。
上位ボタン９は直近の上位階層の画面に戻るためのボタンである。
なお、各種ボタンは機械的なボタンの他、表示部１に画像として表示されるボタンでもよい。
【００２１】
表示部１は選択画面表示部１１と同位画面表示部１２とを有する。１３は現在の選択画面とその直近の２つの上位階層の見出しを表示する階層表示部である。
【００２２】
選択画面表示部１１は次の４種の画面の１つを表示することができるように設計されている。
（１）最上位の階層からそれより下位の或る階層までに選択画面表示部に表示される選択画面は、直近の下位階層の複数の下位見出しの配列よりなる。この部分はツリー状の階層構造を見出し（メニューの項目）の選択により次第に下位の画面に選択移行するのに好都合である。この部分は公知である。このような階層構造と選択（検索）は本出願人による特開平１２−３２８２２３号や特開平１２−３２８２１７号「情報収集検索装置」に記載されている。
（２）本発明により、前項（１）で選択される最下位階層の画面及びそれよりも下位階層の選択画面は自己見出しとそれに属する情報の内容を表示する画面Ａを有する。
（３）前項（２）と同じ見出しを有する別の画面として、選択画面の下位階層の複数の見出しを示す画面Ｂを有する。これらの画面Ａと画面Ｂは相互に又は画面Ａから画面Ｂに切り替えて表示できる。
（４）前項（２）及び（３）と同じ見出しを有する別の画面として、選択画面の自己見出しと、直近の下位階層の複数の第１下位見出しと、該下位見出しのうちの特定の見出しの直近の下位階層の複数の第２下位見出しとを同時に表示する画面Ｃを含み、前記画面選択手段により前記画面Ｃの見出しを選択することにより前記第１又は第２下位画面に切り替えて表示するようにする。
この画面Ｃを併せて使用することにより前記画面Ａ、Ｂ、Ｃを順に切り替えて表示できる。
【００２３】
本発明では上記（２）〜（３）の画面を選択して表示することにより所望の情報を検索して画面表示することが可能となる。
【００２４】
上記（１）の具体例は図１に示されている。現在の選択画面に対して直近の関係にある上位階層の画面の見出しは階層表示部１３に表示され、現階層の選択画面は選択画面表示部１１に表示されている。この例では表示画面は「新宿西口」であり上位階層の画面の見出しは「東京」であることが分かる。そして上位階層の各画面は図１に示した選択画面と同様な構成であることができる。選択画面表示部１１に表示される選択画面は、選択画面（この例では「新宿西口」）の直近の下位階層の複数の下位見出しの配列（この例では９個）よりなる。
ここでジョイスティック２により任意の見出し（この例では「パークタワー」）を選択し（例えば反転表示）、次いで確定ボタン３を押すと、図２の画面Ａが選択画面表示部１１に表示される。逆にこの画面から上位の画面に戻りたい場合は直前の選択画面が上位なら戻りボタン４を押す。単に上位ボタン９を押しても良い。別法として選択画面内の見出しに１〜９の番号を付記しておき、その番号を数字キーボード５のキーから入力することにより同じことを行わせてもよい。
なお、図１の画面において、ジョイスティック２により画面内の左右端部の見出し（例えば「住友ビル」）を選択し、確定しないでジョイスティック２を右に倒し続けると表示された画面には表せない隠れた他の画面にスクロールするようにすることが好ましい。
【００２５】
図２は上記（２）に相当する画面であり上記（１）で選択される最下位階層の画面及びそれよりも下位階層の選択画面は自己見出しとそれに属する情報の内容を表示する画面Ａである。この例では自己見出しは「パークタワー」であり自己見出しの名称で表される対象情報の内容は「説明、写真、住所電話番号、地図」でありパークタワーを紹介する情報の画面表示である。各内容は複数の画面から構成されていてもよく（図８の例ではパークタワーの外観や内部を表す写真ｎ枚）、たとえば「写真」の区画をジョイスティックで選択して確定すると、図８に示すように写真１が表示される。その時ボタン７が画像として同時に現れ、ポインタがボタン７に自動的に付着されボタンの選択状態となる（確定前の状態）。そこでボタン７を確定する度に、写真１から写真ｎまでが選択画面表示部に順に循環表示される。
【００２６】
選択画面は選択画面表示部１１に大きく表示され、それと同位階層の２つの画面の見出しが同位階層表示部１２に同時に表示されている。表示された見出しは全て選択の対象になるから、上位階層に戻らなくても表示された左右の同位階層の見出し１２、１２を選択し確定することにより図２の表示部に表示された画面構成と同様な構成の他の画面に移行することが可能となる。この点は図２と均等な図４の画面表示から図５の画面表示への切り替えの場合について後述する。
このようにして同位階層の任意の画面（この例では図１の９個の見出しを有する画面）の任意の一つを選択することができる。
図２の画面表示において自己見出し１１’「パークタワー」を選択して確定すると、選択画面表示部１１は図３の選択画面に切り替わる。
【００２７】
図３は前記（３）に相当する画面Ｂである。この画面は図２の選択画面と同じ自己見出し１１’「パークタワー」を有する別の画面として、選択画面の下位階層の複数の見出し「ＰＡＲＫ・ＨＹＡＴＴ・ＨＯＴＥＬ」他の６個の見出しを示す画面Ｂを有する。これらの各見出しはポイントして確定することにより選択することができる。
これにより自己見出し１１’「パークタワー」に属する施設がどのようなものか分かる。ここで見出し「ＰＡＲＫ・ＨＹＡＴＴ・ＨＯＴＥＬ」を選択すると、図４の画面が現れる。
なお、なお、図３の画面Ｂにおいて、ジョイスティック２により画面内の端部の見出し（例えば「ＰＡＲＫ  ＴＯＷＥＲ  ＨＡＬＬ」）を選択し（確定しないで）ジョイスティック２を右に倒し続けると、画面Ｂに表示されない隠れた画面にスクロールして選択できるようにすることが好ましい。
【００２８】
図４の画面は図２の画面構成と同様な画面Ａであり、自己見出し１１’「ＰＡＲＫ・ＨＹＡＴＴ・ＨＯＴＥＬ」で代表される画面が選択画面表示部１１にまたこれと同位階層の２つの他の施設が同位階層表示部１２、１２に同時に表示される。
図５は図４において同位階層の見出し１２（この例では「ＯＺＯＮＥ」）を選択し確定した場合の選択画面である画面Ａであり、図２及び図４と同等であるので詳細は図２の説明を参照されたい。
【００２９】
図４において自己見出し１１’「ＰＡＲＫ・ＨＹＡＴＴ・ＨＯＴＥＬ」を再度選択し確定すると、図６の自己見出し１１’「ＰＡＲＫ・ＨＹＡＴＴ・ＨＯＴＥＬ」の直近の下位階層の見出しリストを示す画面Ｂに切り替わる。この画面の構成は図３に示した画面Ｂと同等であるので詳しくは図３の説明を参照されたい。
図６において自己見出し１１’「ＰＡＲＫ・ＨＹＡＴＴ・ＨＯＴＥＬ」を再度選択すると、図７の画面に切り替わる。
【００３０】
図７は選択画面表示部１１に前記（４）で説明した画面Ｃを表示するものである。この選択画面はその自己見出し１１’と、その直近の下位階層の複数の第１下位見出し（「ピーク」、「ジランドール」、「ニューヨークグリル」）と、該下位見出しのうちの特定の見出し例えばレストラン「ジランドール」の直近の下位階層の複数の第２下位見出し例えば料理メニューとを同時に表示する画面Ｃを含み、それぞれの見出しは選択することが可能である。
また前記画面Ｃの自己見出しを選択することにより同じ自己見出しを有する画面ＡまたはＢ（すなわち図４または図６の画面）へ切り替えて表示することができる。後で図１０により説明する例では画面Ａ、Ｂ及びＣが循環表示される。
なお、図３は図６と均等な画面構成であり、図３の選択画面から図７と同様な構成の画面に切り替えることが可能である。
【００３１】
まとめると、実施例と画面の対応を示すと、同一階層の他の２つの画面の見出しと共に、画面Ａ（画面の自己見出しと、見出しにより代表される施設等の説明等を表示する）を表示する例は図２、図４及び図５にある。
同一階層の他の２つの画面の見出しと共に、画面Ｂ（画面の自己見出しと、見出しにより代表される施設等の直近の下位階層に属する見出しのリスト）を表示する例は図３及び図６にある。
同一階層の他の２つの画面の見出しと共に、画面Ｃ（画面の自己見出しと、見出しにより代表される施設等の直近の下位階層に属する見出しリストと、下位階層の特定の見出しで代表される複数の下位施設又は商品等のリスト）を表示する例は図７にある。
【００３２】
理解をさらに助けるために上記の画面選択動作と表示のフローを図１０に示す。まず、図１において下位見出し「パークタワー」を選択し確定したものとする。これにより見出し１１’「パークタワー」を有する画面Ａが表示され、またその直近の２つの同位画面１２、１２が表示され、次の入力待ちとなる。
もしも、右又は左の同位見出し１２を選択し確定すると、読み出し表示回路は確定画面が右か左かを判断して右又は左の画面の画面Ａを選択画面表示部１１に表示する。
もしも、自己見出し１１’を選択し確定すれば、読み出し表示回路は、選択画面を図３の画面Ｂに切り替える。再度自己見出し１１’を選択し確定すれば画面Ｃに切り替える。さらにもう一度自己見出し１１’を選択し確定すれば、読み出し表示回路は画面Ａに切り替える。以下同様である。
もしも、画面Ａにおいて内容見出し、例えば写真見出しを選択し確定したら図８の第１画面（写真１）が選択画面表示部１１に表示される。画面に内容ボタン７が表示されるから、そのボタンを繰り返して押すことにより写真１から写真５に、次いで写真１に戻る。以下同様である。
また、表示されている任意の選択画面で上位ボタン９を押すと、直近の上位階層の画面が表示される。
また、表示されている任意の選択画面で戻りボタン４を押すと直前に表示された画面が選択画面に表示される。
【００３３】
さらに、次の変形を施すことが可能である。
図４〜７に示したように画面Ａ、ＢまたはＣと共に選択画面に対応する欲望充足事項の選択見出し（この例では食事、買物等のアクティビティーの見出し）を表示する補助表示部１４を設け、そのいずれかを選択する手段を設けることによりいずれかのカテゴリーに属する施設（レストラン、店舗等）の画面に飛ぶことを可能にする。このような補助表示画面は予め特定のカテゴリー分類に関連づけておく。この関連づけについては特開平１１−３２８２２３号公報、特開平１１−３２７２１７号公報に詳しい記載がある。
【００３４】
なお、図１１は表示装置２０（例えば車載ナビゲーション）と遠隔操作器が分離され、赤外センサ２１に信号を送って表示装置２０の表示部１の画面を操作するシステムを例示するが、発明の構成と動作は上に説明した実施例と同一である。なおボタン７としてトグルボタンを使用しても良い。
【００３５】
【発明の効果】
以上のように本発明によれば、移動表示装置において、表示画面から同位階層の他の画面を直接選択することができ、さらに同一見出しの下に画面Ａ、Ｂ、Ｃを選択表示できるので目的情報の検索が迅速に行える作用効果が得られる。
【図面の簡単な説明】
【図１】本発明の移動表示装置の表示部の選択画面表示部および同位画面表示部に表示された選択画面及び同位画面の一例を示す図である。
【図２】図１の選択画面表示部に表示された下位階層の見出しを選択したときに表示された選択画面Ａを示す図である。
【図３】図２の選択画面表示部に表示された自己見出しを選択したときに表示される選択画面Ｂを示す図である。
【図４】図３の選択画面表示部に表示された下位階層の見出しを選択したときに表示される選択画面Ａを示す図である。
【図５】図４の同位画面表示部に表示された見出しを選択したときに表示される選択画面Ａを示す図である。
【図６】図４の選択画面表示部に表示された自己見出しを選択したときに表示される選択画面Ｂを示す図である。
【図７】図５の選択画面表示部に表示された自己見出しを選択したときに表示される選択画面Ｃを示す図である。
【図８】図２の画面Ａの内容として写真を選択した際に、複数の写真を順に切り替えて表示することを示す図である。
【図９】本発明の移動表示装置の構成を示す図である。
【図１０】本発明の移動表示装置の動作を示すフロー図である。
【図１１】本発明の他の移動表示装置の構成を示す図である。
【符号の説明】
１  表示部
２  ジョイスティック
３  確定ボタン
４  戻りボタン
５  キーボード
６  アンテナ
７  Ａ画面内容ボタン
９  上位ボタン
１１  選択画面表示部
１２  同位画面表示部
１３  階層表示部
１４  補助表示部
【図１】
2004318655.tif 000003
【図２】
2004318655.tif 000004
【図３】
2004318655.tif 000005
【図４】
2004318655.tif 000006
【図５】
2004318655.tif 000007
【図６】
2004318655.tif 000008
【図７】
2004318655.tif 000009
【図８】
2004318655.tif 000010
【図９】
2004318655.tif 000011
【図１０】
2004318655.tif 000012
【図１１】
2004318655.tif 000013